(57)【要約】【課題】従来の電子タグを利用したシステムでは、街中に存在するポスターや店頭などに電子タグから、歩きながら多数の情報を収集することが想定されておらず、従って、位置情報や時刻情報や方向情報を取得することができず、集めた多数の情報の利用が困難である。【解決手段】情報を外部から受信する近距離無線通信部と、情報処理装置の位置に関する情報である位置情報を取得する位置情報取得部と、情報と位置情報を有する蓄積情報を蓄積する蓄積部を具備する情報処理装置であり、かかる情報処理装置により、情報を取得した場所が後に分かり、情報を再取得したり、当該情報に関連する商品を購入するためにお店に出向いたりする場合などに有効である。【選択図】　図１
2004139499.tif 000002
【特許請求の範囲】
【請求項１】
情報を外部から受信する近距離無線通信部と、
情報処理装置の位置に関する情報である位置情報を取得する位置情報取得部と、前記情報と前記位置情報を有する蓄積情報を蓄積する蓄積部を具備する情報処理装置。
【請求項２】
時刻を取得する時刻取得部をさらに具備し、
前記蓄積部は前記情報と前記位置情報と前記時刻を有する蓄積情報を蓄積する請求項１記載の情報処理装置。
【請求項３】
情報処理装置の向きに関する情報である方向情報を取得する方向情報取得部をさらに具備し、
前記蓄積部は方向情報をも有する蓄積情報を蓄積する請求項１または請求項２いずれか記載の情報処理装置。
【請求項４】
前記近距離無線通信部が情報を外部から受信した場合または前記蓄積部が情報を蓄積した場合に、前記情報を外部から受信した旨または前記情報を蓄積した旨を出力する受信認知出力部をさらに具備する請求項１から請求項３いずれか記載の情報処理装置。
【請求項５】
前記受信認知出力部は、情報を受信した旨または情報を蓄積した旨を文字または光により出力する請求項４記載の情報処理装置。
【請求項６】
前記受信認知出力部は、一定時間の経過により出力した文字または光を未出力にする請求項５記載の情報処理装置。
【請求項７】
ユーザの属性値を格納している属性値格納部と、
前記蓄積部は、前記属性値に基づいて前記情報を選択して蓄積する請求項１から請求項６いずれか記載の情報処理装置。
【請求項８】
前蓄積部が蓄積した１以上の蓄積情報を一覧表示する一覧表示部をさらに具備する請求項１から請求項７いずれか記載の情報処理装置。
【請求項９】
前蓄積部が蓄積した１以上の蓄積情報が有する位置情報に基づいて、前記情報の所在を地図上に表示するマップ表示部をさらに具備する請求項１から請求項８いずれか記載の情報処理装置。
【請求項１０】
前記位置情報取得部は、現在の情報処理装置の位置を示す情報である装置位置情報を取得し、
前記マップ表示部は、前記装置位置情報も地図上に表示する請求項９記載の情報処理装置。
【請求項１１】
前記近距離無線通信部で受信した情報に関連する関連情報をサーバ装置から取得する関連情報取得部をさらに具備する請求項１から請求項１０いずれか記載の情報処理装置。
【請求項１２】
前記関連情報取得部は、情報を指示する入力を受け付ける情報指示入力受付手段と、
前記指示された情報に関連する関連情報を取得する関連情報取得手段を具備する請求項１１記載の情報処理装置。
【請求項１３】
請求項６から請求項１１記載の情報処理装置に属性値と情報を送信する情報送信装置。
【発明の詳細な説明】
【０００１】
【発明の属する技術分野】
本発明は、例えば、歩きながら情報を収集できる情報処理装置等に関する。
【０００２】
【従来の技術】
従来の技術として、ＲＦ−ＩＤタグ付きのポスターがある（特許文献１）。本従来技術には、ポスターに表示されている情報に関連する情報を格納しているＲＦ−ＩＤタグ付きのポスター、および当該ポスター上のＲＦ−ＩＤタグの情報を読み取るＲＦ−ＩＤタグ用リーダーについて記載している。
【０００３】
【特許文献１】
特開２００２−１６２９１８号公報（第１頁、第１図）
【０００４】
【発明が解決しようとする課題】
しかし、上記従来技術によれば、街中に存在するポスターや店頭などに電子タグ（ＲＦ−ＩＤタグ）などの近距離無線通信手段から、歩きながら多数の情報を収集することが想定されておらず、従って、位置情報や時刻情報や方向情報を取得することができない。そのため、集めた多数の情報の利用が困難である。つまり、どこから得た情報であるが、何時に得た情報であるが、そのときの情報が送信された向きなどを得ることができなかった。また、個人の属性値に応じて選択して受信することなどもできない。従って、多数の情報から、本当に必要な情報を選択することが困難であり、歩きながら多数の情報を収集する意味がなくなる場合すらある。さらに、取得した多数の情報を分かりやすく提示することができない。従って、取得した多数の情報の詳細情報を得たり、多数の情報を元に商品を購入したりする等の次のアクションをとることが困難である。
【０００５】
【課題を解決するための手段】
そこで、第一の発明は、情報を外部から受信する近距離無線通信部と、情報処理装置の位置に関する情報である位置情報を取得する位置情報取得部と、情報と位置情報を有する蓄積情報を蓄積する蓄積部を具備する情報処理装置であり、かかる情報処理装置により、情報を取得した場所が後に分かり、情報を再取得したり、当該情報に関連する商品を購入するためにお店に出向いたりする場合などに有効である。
【０００６】
また、第二の発明は、情報を外部から受信する近距離無線通信部と、時刻を取得する時刻取得部と、情報と時刻を有する蓄積情報を蓄積する蓄積部を具備する情報処理装置であり、かかる情報処理装置により、情報を取得した時刻が後に分かり、情報を再取得したり、当該情報に関連する商品を購入するためにお店に出向いたりする場合などに有効である。
【０００７】
また、第三の発明は、情報を外部から受信する近距離無線通信部と、情報処理装置の向きに関する情報である方向情報を取得する方向情報取得部と、情報と方向情報を有する蓄積情報を蓄積する蓄積部を具備する情報処理装置であり、かかる情報処理装置により、情報を取得したときの情報処理装置の方向が後に分かり、例えば、交差点などで取得した情報がどちらの方向に存在するか分かり、情報を再取得したり、当該情報に関連する商品を購入するためにお店に出向いたりする場合などに有効である。
【０００８】
また、第四の発明は、格納しているユーザの属性値に基づいて情報を選択して蓄積する上記の情報処理装置により、歩きながら多数の情報を収集する場合に、本当に必要な情報のみを収集できる。
【０００９】
また、第五の発明は、蓄積部が蓄積した１以上の蓄積情報を一覧表示する一覧表示部または、情報の所在を地図上に表示するマップ表示部をさらに具備する上記の情報処理装置により、収集した多数の情報が理解しやすく、また、情報を再取得したり、関連情報を収集したりする場合などに有効である。
【００１０】
【発明の実施の形態】
以下、情報処理システム等の実施形態について図面を参照して説明する。なお、実施の形態において同じ符号を付した構成要素は同様の動作を行うので、再度の説明を省略する場合がある。
【００１１】
図１は、本実施の形態における情報処理システムの概念図である。情報処理システムは、情報送信装置１１、情報処理装置１２、サーバ装置１３を有する。情報送信装置１１は、通常、多数存在する。情報送信装置１１は、情報を保持しており、当該情報を近距離無線通信手段により送信する。近距離無線通信手段とは、ブルートゥースやＩｒＤＡやＩＥＥＥ８０２．１１ａやＩＥＥＥ８０２．１１ｂやＩＥＥＥ８０２．１１ｇやＤＳＲＣなどの通信規約により実現される近距離の無線通信手段である。また、情報送信装置１１は、例えば、ポスターやバス停時刻表や駅の時刻表や店舗など、街に存在するものに添付されている電子タグである。
【００１２】
情報処理装置１２は、通常、携帯が可能な小型の情報処理装置であり、いわゆるＰＤＡや携帯電話などを含む。
【００１３】
サーバ装置１３は、情報を蓄積しており、情報処理装置１２に情報を送信するための通信手段を具備している。
【００１４】
かかる情報処理システムにより、情報処理装置１２のユーザは、例えば、街を歩きながら情報を自然に収集できる。
【００１５】
図２は、本実施の形態における情報処理システムのブロック図である。情報送信装置１１は、情報保持部１１０１、情報送信部１１０２を具備する。情報処理装置１２は、近距離無線通信部１２０１、位置情報取得部１２０２、時刻取得部１２０３、方向情報取得部１２０４、属性値格納部１２０５、蓄積部１２０６、受信認知出力部１２０７、入力受付部１２０８、一覧表示部１２０９、マップ表示部１２１０、関連情報取得部１２１１を具備する。サーバ装置１３は、関連情報保持部１３０１、関連情報送信部１３０２を具備する。
【００１６】
情報保持部１１０１は、属性値と情報を有する送信情報を保持している。情報保持部１１０１が保持している属性値と情報は、各々２以上でも良い。属性値とは、情報処理装置１２が情報を受信して蓄積するべきか否かを判断するために利用する情報である。情報保持部１１０１は、通常、不揮発性の記録媒体で実現されるが、揮発性の記録媒体でも良い。
【００１７】
情報送信部１１０２は、情報保持部１１０１が保持している送信情報を外部に送信する。情報送信部１１０２は、電子タグ（ＲＦ−ＩＤタグ）やブルートゥースなどの近距離無線通信手段で実現される。情報送信部１１０２は、自発的に情報を送信しても良いし、情報処理装置１２の要求に呼応して情報を送信しても良い。
【００１８】
近距離無線通信部１２０１は、情報送信装置１１から情報と属性値を有する送信情報を受信する。近距離無線通信部１２０１は、ブルートゥースやＩｒＤＡやＩＥＥＥ８０２やＤＳＲＣなどの通信規約により実現される近距離の無線通信手段で実現され得る。
【００１９】
位置情報取得部１２０２は、情報処理装置１２が存在する位置に関する情報である位置情報を取得する。位置情報取得部１２０２は、ＧＰＳ受信機で実現されていても良い。かかる場合、通常、位置情報は（ｘ，ｙ，ｈ）の３次元の情報である。ｘは緯度、ｙは経度、ｈは高度を示す。また、位置情報取得部１２０２は、近距離無線通信部１２０１が受信した情報に含まれる位置情報を取得しても良い。
【００２０】
時刻取得部１２０３は、蓄積部１２０６が情報を蓄積した時刻を取得する。時刻取得部１２０３は、保持している時計から時刻を取得する。なお、蓄積部１２０６が情報を蓄積した時刻とは、近距離無線通信部１２０１が情報を受信した時刻とほとんど同じ時刻である。従って、時刻取得部１２０３は、近距離無線通信部１２０１が情報を受信した時刻を取得する、とも言える。時刻取得部１２０３は、時計と、当該時計から時刻を取得するソフトウェア等で実現され得る。
【００２１】
方向情報取得部１２０４は、蓄積部１２０６が情報を蓄積したとき情報処理装置１２の向きに関する情報である方向情報を取得する。方向情報取得部１２０４は、例えば、位置情報取得部１２０２が取得した２以上の位置情報に基づいて情報処理装置１２の移動方向を取得する。位置情報取得部１２０２が、例えば、定期的に情報処理装置１２の位置情報を取得している場合、２以上の位置情報により移動方向が特定できる。方向情報取得部１２０４は、例えば、電子コンパスを具備し、当該電子コンパスにより情報処理装置１２の向きに関する情報を取得する。電子コンパスは既存技術であるので説明は省略する。
【００２２】
属性値格納部１２０５は、ユーザの属性値を格納している。ユーザの属性値とは、例えば、ユーザの年齢、性別、出身地、家族構成、趣味などである。属性値格納部１２０５は、不揮発性の記録媒体でも、揮発性の記録媒体でも良い。
【００２３】
蓄積部１２０６は、属性値格納部１２０５に格納されている属性値に基づいて、近距離無線通信部１２０１が受信した情報を選択して蓄積する。通常、蓄積部１２０６は、属性値格納部１２０５に格納されている属性値と一定の関係がある属性値を近距離無線通信部１２０１が受信した場合に、当該属性値と対の情報を蓄積する。属性値と対の情報とは、属性値とともに受信した情報である。蓄積部１２０６は、通常、ＭＰＵやメモリ等から実現され得る。蓄積部１２０６が情報を蓄積するための処理手順は、通常、ソフトウェアで実現され、当該ソフトウェアはＲＯＭ等の記録媒体に記録されている。但し、ハードウェア（専用回路）で実現しても良い。また、蓄積部１２０６は、情報を記録する記録媒体（ハードディスクや光ディスク等）を含む場合もあるし、含まない場合もある。
【００２４】
受信認知出力部１２０７は、近距離無線通信部１２０１が情報を外部から受信した場合または蓄積部１２０６が情報を蓄積した場合に、情報を外部から受信した旨または情報を蓄積した旨を出力する。受信認知出力部１２０７は、通常、情報を受信した旨または情報を蓄積した旨を文字または光により出力する。但し、受信認知出力部１２０７は、ブザー音などの音で情報を受信した旨または情報を蓄積した旨を出力しても良い。受信認知出力部１２０７は、近距離無線通信部１２０１が情報を外部から受信した場合または蓄積部１２０６が情報を蓄積した場合に、情報の受信または情報の蓄積から一定時間の経過により、出力した文字または光等を未出力にすることが好適である。
【００２５】
入力受付部１２０８は、各種指示の入力を受け付ける。入力受付部１２０８が受け付ける指示は、蓄積部１２０６が蓄積した１以上の情報の一覧表を出力する指示、または情報を地図上に表示する指示、または受信した情報の関連情報をサーバ装置１３から取得する指示等である。入力受付部１２０８は、ボタンの押下を受け付けたり、入力の受付部位がタッチパネルになっており、当該タッチパネルの押下を受け付けたり、ペン入力を受け付けたりする。
【００２６】
一覧表示部１２０９は、蓄積部１２０６が蓄積した１以上の蓄積情報を一覧表示する。一覧表示の表示態様は問わない。一覧表示部１２０９は、ディスプレイを含むと考えてもディスプレイを含まないと考えても良い。また、ディスプレイは通常、液晶や有機ＥＬなどの薄型のディスプレイである。一覧表示部１２０９は、通常、ＭＰＵやメモリ等から実現され得る。一覧表示部１２０９が情報を一覧表示するための処理手順は、通常、ソフトウェアで実現され、当該ソフトウェアはハードディスク等の記録媒体に記録されている。但し、ハードウェア（専用回路）で実現しても良い。
【００２７】
マップ表示部１２１０は、蓄積部１２０６が蓄積した１以上の蓄積情報が有する位置情報に基づいて、情報の所在を地図上に表示する。情報の所在の地図上への表示態様は問わない。マップ表示部１２１０は、通常、地図情報を予め保持しており、蓄積情報が有する位置情報に基づいて、当該地図情報の上に情報をマッピングする。また、マップ表示部１２１０は、現在の情報処理装置の位置を示す情報である装置位置情報も地図上に表示することが好適である。さらに、マップ表示部１２１０は、通常、ＭＰＵやメモリ等から実現され得る。マップ表示部１２１０がマップを表示するための処理手順は、通常、ソフトウェアで実現され、当該ソフトウェアはハードディスク等の記録媒体に記録されている。但し、ハードウェア（専用回路）で実現しても良い。
【００２８】
関連情報取得部１２１１は、近距離無線通信部１２０１で受信した情報に関連する関連情報をサーバ装置１３から取得し、出力する。情報が、例えば、当該情報を識別する情報識別子を有し、関連情報取得部１２１１は、当該情報識別子に基づいて、当該情報よりさらに詳細な情報の送信をサーバ装置１３に促し、当該サーバ装置１３からさらに詳細な情報を取得する。このさらに詳細な情報は関連情報である。関連情報取得部１２１１は、通常、ＭＰＵやメモリ等から実現され得る。関連情報取得部１２１１が関連情報を取得するための処理手順は、通常、ソフトウェアで実現され、当該ソフトウェアはハードディスク等の記録媒体に記録されている。但し、ハードウェア（専用回路）で実現しても良い。
【００２９】
関連情報保持部１３０１は、関連情報を保持している。関連情報保持部１３０１は、通常、不揮発性の記録媒体で実現されるが、揮発性の記録媒体でも良い。
【００３０】
関連情報送信部１３０２は、情報処理装置１２の指示に従い、関連情報保持部１３０１から関連情報を選択し、情報処理装置１２に関連情報を送信する。関連情報送信部１３０２は、通常、無線または有線の通信手段で実現されるが、放送手段で実現されても良い。
【００３１】
以下、本情報処理システムの動作について説明する。まず、情報送信装置１１の動作について説明する。情報送信装置１１は、通常、情報保持部１１０１が保持している属性値と情報を外部に送信し続ける。なお、情報送信装置１１は、情報処理装置１２の指示により情報保持部１１０１が保持している属性値と情報を情報処理装置１２に送信しても良い。
【００３２】
次に、情報処理装置１２の動作について、図３のフローチャートを用いて説明する。
【００３３】
（ステップＳ３０１）近距離無線通信部１２０１は、情報送信装置１１から情報と属性値を受信したか否かを判断する。情報等を受信すればステップＳ３０２に行き、情報等を受信しなければステップＳ３１１に行く。
【００３４】
（ステップＳ３０２）蓄積部１２０６は、ステップＳ３０１で受信した属性値を取得する。
【００３５】
（ステップＳ３０３）蓄積部１２０６は、属性値格納部１２０５に格納されている属性値を取得する。
【００３６】
（ステップＳ３０４）蓄積部１２０６は、ステップＳ３０２で取得した属性値と、ステップＳ３０３で取得した属性値が一定の関係にあるか否かを判断する。一定の関係にあればステップＳ３０５に行き、一定の関係になければステップＳ３０１に戻る。
【００３７】
（ステップＳ３０５）位置情報取得部１２０２は位置情報を取得する。
【００３８】
（ステップＳ３０６）時刻取得部１２０３は時刻を取得する。
【００３９】
（ステップＳ３０７）方向情報取得部１２０４は、情報処理装置１２の向きに関する情報である方向情報を取得する。
【００４０】
（ステップＳ３０８）蓄積部１２０６は、蓄積する情報である蓄積情報を構成する。なお、蓄積情報は、ステップＳ３０１で受信した情報、属性値、ステップＳ３０５で取得した位置情報、ステップＳ３０６で取得した時刻、ステップＳ３０７で取得した方向情報のうち、１以上の情報を含む。但し、蓄積情報には、通常、ステップＳ３０１で受信した情報は含まれる。
【００４１】
（ステップＳ３０９）蓄積部１２０６は、ステップＳ３０８で構成した蓄積情報を蓄積する。
【００４２】
（ステップＳ３１０）受信認知出力部１２０７は、情報を外部から受信した旨または情報を蓄積した旨を出力する。ステップＳ３０１に戻る。
【００４３】
（ステップＳ３１１）入力受付部１２０８は、各種指示の入力を受け付けたか否かを判断する。入力を受け付ければステップＳ３１２に行き、入力を受け付けなければステップＳ３０１に戻る。
【００４４】
（ステップＳ３１２）一覧表示部１２０９は、ステップＳ３１１で受け付けた入力が一覧表示の指示であるか否かを判断する。一覧表示の指示であればステップＳ３１３に行き、一覧表示の指示でなければステップＳ３１６に行く。
【００４５】
（ステップＳ３１３）一覧表示部１２０９は、蓄積部１２０６が蓄積した蓄積情報を取得する。
【００４６】
（ステップＳ３１４）一覧表示部１２０９は、ステップＳ３１３で取得した蓄積情報に基づいて一覧表示の情報を構成する。なお、ステップＳ３１３で取得した蓄積情報が０であれば、ステップＳ３１４において一覧表の枠のみの情報を構成する。
【００４７】
（ステップＳ３１５）一覧表示部１２０９は、ステップＳ３１４で構成した一覧表示の情報を出力する。
【００４８】
（ステップＳ３１６）マップ表示部１２１０は、ステップＳ３１１で受け付けた入力がマップ表示の指示であるか否かを判断する。マップ表示の指示であればステップＳステップＳ３１７に行き、マップ表示の指示でなければステップＳ３２７に飛ぶ。
【００４９】
（ステップＳ３１７）マップ表示部１２１０は、保持している地図情報を読み出す。
【００５０】
（ステップＳ３１８）マップ表示部１２１０は、蓄積情報の数を算出し、変数ｎに当該蓄積情報の数を代入する。
【００５１】
（ステップＳ３１９）カウンタｉに１を代入する。
【００５２】
（ステップＳ３２０）マップ表示部１２１０は、カウンタｉが変数ｎ以下であるか否かを判断する。カウンタｉが変数ｎ以下であればステップＳ３２１に行き、カウンタｉが変数ｎより大きければステップＳ３２４に飛ぶ。
【００５３】
（ステップＳ３２１）マップ表示部１２１０は、ｉ番目の蓄積情報が有する位置情報を取得する。
【００５４】
（ステップＳ３２２）マップ表示部１２１０は、ｉ番目の蓄積情報が有する情報を、ステップＳ３２１で取得した位置情報に基づいて、ステップＳ３１７で読み出した地図情報の上にマッピングする。
【００５５】
（ステップＳ３２３）カウンタｉをインクリメントする。ステップＳ３２０に戻る。
【００５６】
（ステップＳ３２４）位置情報取得部１２０２は、情報処理装置１２の現在の位置情報を取得する。
【００５７】
（ステップＳ３２５）マップ表示部１２１０は、ステップＳ３２４で取得した情報処理装置１２の現在の位置情報をステップＳ３１７で読み出した地図情報の上にマッピングする。
【００５８】
（ステップＳ３２６）マップ表示部１２１０は、ステップＳ３１７で読み出した地図情報および当該地図情報の上にマッピングされた情報を表示する。ステップＳ３０１に戻る。
【００５９】
（ステップＳ３２７）関連情報取得部１２１１は、ステップＳ３１１で受け付けた入力が関連情報の取得の指示であるか否かを判断する。関連情報の取得の指示であればステップＳ３２８に行き、関連情報の取得の指示でなければステップＳ３０１に戻る。
【００６０】
（ステップＳ３２８）関連情報取得部１２１１は、サーバ装置１３に関連情報の送信を指示する。
【００６１】
（ステップＳ３２９）関連情報取得部１２１１は、サーバ装置１３から関連情報を受信したか否かを判断する。関連情報を受信すればステップＳ３３０に行き、関連情報を受信しなければステップＳ３２９に戻る。
【００６２】
（ステップＳ３３０）関連情報取得部１２１１は、ステップＳ３２９で受信した関連情報を出力する。
【００６３】
次に、サーバ装置１３の動作について説明する。サーバ装置１３は、情報処理装置１２から送信された関連情報の送信指示により、関連情報を選択し、情報処理装置１２に送信する。
【００６４】
以下、本実施の形態における情報処理システムの具体的な動作について、図１の概念図を用いて説明する。ユーザは、情報処理装置１２を持って、街中に出かける。街中には、電子タグ（情報送信装置１１）が付いたポスターや広告や商品が多数存在する。また、ユーザは、必要に応じて、サーバ装置１３にアクセスして情報を取得する。なお、情報処理装置１２はＧＰＳ受信機を有する。
【００６５】
今、広告に添付されている電子タグから図４に示す構造を有する送信情報が送信される、とする。送信情報は、情報と属性値と名称を有する。名称とは、情報を発信する主体を示す情報であり、例えば、店の名前である。そして、ユーザが、情報処理装置１２を持って、街中を歩いている際に、図５の送信情報を受信した、とする。かかる場合、情報処理装置１２は、図５の送信情報を受信できるほど、図５の送信情報を格納している電子タグに近づいたことになる。
【００６６】
今、情報処理装置１２は、図６の属性値管理表を保持している。図６の属性値管理表は、属性値を１以上格納している。また、この属性値は、ユーザの個人情報や嗜好情報などを含む。そして、情報処理装置１２は、図６の属性値に基づいて、受信した情報を蓄積するか否かを判断する。ここでは、情報処理装置１２は、図５の送信情報が有する属性値「＜性別＞女性」に基づいて、受信した情報を蓄積するか否かを判断する。図６の属性「性別」の値は「女性」であり、図５の送信情報が有する属性値「＜性別＞女性」と一致する関係にあるので、情報処理装置１２は図５の送信情報を蓄積する。この際、情報処理装置１２は、ＧＰＳ受信機で座標位置（ｘ，ｙ，ｈ）と時刻と方向情報も取得する。そして、「情報」「属性値」「位置情報」「時刻」「方向情報」を有する蓄積情報を構成する。「情報」は、電子タグが送信した情報である。「位置情報」は、電子タグが送信した名称と、ＧＰＳ受信機で取得した座標位置（ｘ，ｙ，ｈ）を有する。情報処理装置１２は、以上のように構成した蓄積情報を蓄積する。
【００６７】
以上のような処理により、情報処理装置１２は、図７に示すような蓄積情報管理表を格納することとなる。図７によれば、ユーザが街中を歩き回ることにより、情報処理装置１２は多数の蓄積情報を蓄積したことになる。
【００６８】
そして、今、ユーザが情報処理装置１２に、蓄積情報の一覧表を表示する指示をしたとする。かかる指示は、例えば、情報処理装置１２が保持するボタンの押下によりなされる。次に、情報処理装置１２は、図７の蓄積情報管理表を読み込んで、一覧表に表示する（図８参照）。
【００６９】
次に、ユーザは、図８の一覧表から関連情報を取得したい情報を選択する、とする。今、ユーザは、最上位の「１０：１０　ＸＸＸ商店街　特価化粧品」の情報を選択した、とする。かかる場合、情報処理装置１２は、上記情報に関連する情報をサーバ装置１３から取得する。関連情報の取得結果を、図９に示す。なお、情報処理装置１２に表示されている情報を指示して、関連情報をサーバ装置１３から取得する方法は種々ある。例えば、情報処理装置１２に表示されている情報にＩＤが付されており、当該ＩＤをキーに関連情報をサーバ装置１３から取得する方法である。その他、かかる方法は公知技術であるので、詳細な説明は省略する。
【００７０】
また、ユーザは、図９の関連情報の取得結果を利用して電子商取引が可能である。つまり、図９の関連情報の取得結果の各行は、それぞれ選択可能なメニュー項目であり、当該メニューの項目を指示により購入決済が可能である、とする。かかる電子商取引の処理は、既存技術であるので詳細な説明を省略する。
【００７１】
また、ユーザは、受信した情報や取得した関連情報を、電子メール機能を用いて、友人等に送信できる、とする。かかる電子メール機能も既存技術であるので詳細な説明を省略する。
【００７２】
次に、ユーザが情報処理装置１２に、マップを表示する指示をしたとする。かかる指示は、例えば、情報処理装置１２が保持するボタンの押下によりなされる。次に、情報処理装置１２は、保持している地図情報を読み、図７の蓄積情報管理表の蓄積情報が有する位置情報に基づいて、蓄積情報が有する情報（ここでは、名称）をプロットする。また、情報処理装置１２の現在位置も地図上に示す。かかるマップの表示例を図１０に示す。図１０によれば、情報処理装置１２に蓄積されている情報を取得した位置が地図上で分かる。また、情報処理装置１２の現在位置も分かる。従って、情報処理装置に表示されている情報に基づいて、ユーザが再度、必要な商品を購入したりする等の場合に有効である。なお、マップの表示態様は問わない。
【００７３】
また、ユーザが指示した情報に対して、情報の内容（図１０では、「新作映画割引チケット」）が表示される。かかる場合、マップが表示されるディスプレイがタッチパネルで構成されているとする。
【００７４】
また、情報処理装置１２において、ユーザが指示した情報の内容が表示された後、一定時間後に関連情報の取得について聞いてくる、とする。かかる関連情報の取得を促す表示例を図１１に示す。図１１の表示画面において、ユーザが「はい」のボタンを選択すると、情報処理装置１２は、表示されている情報に関連する関連情報をサーバ装置１３から取得して、表示する。
【００７５】
次に、情報処理装置１２が電子タグから情報を受信して、属性値の比較の結果、情報を蓄積した時の処理について説明する。
【００７６】
情報処理装置１２が電子タグから情報を受信して、属性値の比較の結果、情報を蓄積した場合に、例えば、図１２のような蓄積した情報を出力する。そして、ユーザに情報を受信して蓄積した旨を知らせる。かかる場合、図１３に示すように情報処理装置１２が光っても良い。また、ブザー音を出力するなどして、ユーザに情報を受信して蓄積した旨を知らせても良い。
【００７７】
また、図１２や図１３のようにユーザに情報を受信して蓄積した旨を知らせた場合に、情報処理装置１２は、一定時間経過後、当該出力を中止する。つまり、表示していた文字列を未表示にし、光の出力を中止することは有効である。
【００７８】
なお、光出力の手段は問わない。情報処理装置がＬＥＤ発光機を有しても良いし、情報処理装置が有する豆電球で発光しても良い。
【００７９】
以上、本実施の形態によれば、情報処理装置を持って歩きながら種々の情報を集めることができる。その際、情報を収集した位置情報、時刻、方向情報などもあせて記録することにより、当該情報を発信した店舗に行って当該情報が示す商品を購入したりする場合に便利である。また、受信した情報と対に位置情報、時刻、方向情報なども記録することにより、ユーザは、当該情報を送信した電子タグが添付されていたポスターや店舗などを思い出しやすい。また、個人の属性に応じた有用な情報のみを情報処理装置に記録できることにより、歩き回って情報を集める場合に、ユーザの嗜好等に合致する情報のみ収集できて便利である。さらに、歩き回って多数の情報を集めた場合に、一覧表示したり、マップ表示したりすることにより、当該情報を利用しやすい。
【００８０】
なお、本実施の形態において、情報処理装置の各構成要素はすべて必須の構成要素であるとは限らない。つまり、例えば、上述した蓄積部が属性値に基づいて情報を選択して蓄積したが、蓄積部は、受信したすべての情報を蓄積しても良い。つまり、情報処理装置は、情報を外部から受信する近距離無線通信部と、情報処理装置の位置に関する情報である位置情報を取得する位置情報取得部と、情報と位置情報を有する蓄積情報を蓄積する蓄積部を具備する情報処理装置でも良い。また、情報処理装置は、上記の情報処理装置に対して、時刻を取得する時刻取得部をさらに具備し、蓄積部は情報と位置情報と時刻を有する蓄積情報を蓄積するものであっても良い。また、情報処理装置は、情報処理装置の向きに関する情報である方向情報を取得する方向情報取得部をさらに具備し、蓄積部は方向情報をも有する蓄積情報を蓄積するものであっても良い。
【００８１】
また、上述した受信認知出力部、一覧表示部、マップ表示部、および関連情報取得部なども必須の構成要素ではない。
【００８２】
さらに、本実施の形態において説明した動作は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。
【発明の効果】
以上のように、本発明によれば、情報処理装置を持って歩きながら種々の情報を集めることができる。
【図面の簡単な説明】
【図１】実施の形態における情報処理システムの概念図
【図２】実施の形態における情報処理システムのブロック図
【図３】実施の形態における情報処理装置の動作について説明するフローチャート
【図４】実施の形態における送信情報の構造を示す図
【図５】実施の形態における送信情報の例を示す図
【図６】実施の形態における属性値管理表を示す図
【図７】実施の形態における蓄積情報管理表を示す図
【図８】実施の形態における情報の一覧表示の例を示す図
【図９】実施の形態における関連情報の取得結果を示す図
【図１０】実施の形態におけるマップ表示の例を示す図
【図１１】実施の形態におけるかかる関連情報の取得を促す表示例を示す図
【図１２】実施の形態におけるユーザに情報を受信して蓄積した旨を知らせる態様を示す図
【図１３】実施の形態におけるユーザに情報を受信して蓄積した旨を知らせる態様を示す図
【符号の説明】
１１　情報送信装置
１２　情報処理装置
１３　サーバ装置
１１０１　情報保持部
１１０２　情報送信部
１２０１　近距離無線通信部
１２０２　位置情報取得部
１２０３　時刻取得部
１２０４　方向情報取得部
１２０５　属性値格納部
１２０６　蓄積部
１２０７　受信認知出力部
１２０８　入力受付部
１２０９　一覧表示部
１２１０　マップ表示部
１２１１　関連情報取得部
１３０１　関連情報保持部
１３０２　関連情報送信部
【図１】
2004139499.tif 000003
【図２】
2004139499.tif 000004
【図３】
2004139499.tif 000005
【図４】
2004139499.tif 000006
【図５】
2004139499.tif 000007
【図６】
2004139499.tif 000008
【図７】
2004139499.tif 000009
【図８】
2004139499.tif 000010
【図９】
2004139499.tif 000011
【図１０】
2004139499.tif 000012
【図１１】
2004139499.tif 000013
【図１２】
2004139499.tif 000014
【図１３】
2004139499.tif 000015